(57)【特許請求の範囲】
【請求項１】
リング状に形成された上下複数のフレームと、各フレームの面内に張設された床網と、各フレームを上下複数段に配設した状態で各フレームの外周部を上下方向に連結する複数本の吊下ロープと、上下複数段の各フレーム間の周囲に張設された側網と、上下の床網及び側網によって囲われた内側に形成された上下複数段の育成室とを備えた連段式の貝類養殖篭において、
前記連段式の貝類養殖篭の中間部分の一箇所には、上下に対向する前記フレーム間の周囲に前記側網が存在しない流通開口路が形成され、該流通開口路の上下幅は各前記育成室の上下幅よりも短く形成され、
前記流通開口路上部の上部育成室と流通開口路下部の下部育成室とは、それぞれ複数段づつ育成室が上下に連続して形成され、上部育成室周囲の上部側網と下部育成室外周部周囲の下部側網とは上部育成室及び下部育成室を構成する複数の各育成室の周囲を上下に連続して覆い、上部側網及び下部側網の左右の端縁が重合し、該重合端縁間が上下方向に連続する貝類の上部出入口及び下部出入口とされており、
前記側網が存在しない前記流通開口路の周囲には、前記上部育成室と下部育成室外周部の吊下ロープと連続する３本以上の複数本の吊下ロープが、流通開口路の周囲方向に略等間隔で設けられ、該複数本の各吊下ロープは、その中間部分が対応する上下複数段の各フレームに結合された状態で、前記貝類養殖篭の上下に連続していることを特徴とする貝類養殖篭。
【請求項２】
前記上部出入口及び前記下部出入口は、それぞれ縫合糸により閉じ合わせ状態に保持され、上部出入口の縫合糸の端部と下部出入口の縫合糸の端部とは、前記流通開口路の上部と下部において、対応する前記フレームに係止されていることを特徴とする請求項１に記載の貝類養殖篭。
【発明の詳細な説明】
【技術分野】
【０００１】
本発明は、水中に吊り下げられる、ホタテ貝などの貝類養殖篭、特に、上下複数段に育成室が形成された連段式の貝類養殖篭（以下に連段篭という）に関するものである。
【背景技術】
【０００２】
図３は、従来の連段篭を示す。
従来の連段篭は、図３に示されるように、連段篭を構成する貝類養殖篭１０１Ａ（１０１Ｂ）が、リング状に形成された上下複数のフレーム２と、各フレーム２の面内に張設された床網３と、各フレーム２を上下複数段に配設した状態で各フレームの外周部を上下方向に連結する複数本の吊下ロープ４と、上下複数段の各フレーム２間の周囲に張設された側網５とを備え、上下の床網３及び側網５によって囲われた内側には、上下複数段の育成室６が形成された構造とされている。
【０００３】
この連段篭の構造において、上記各育成室６を高さ方向に保持するための複数本の上記吊下ロープ４の上端は、互いに結び付けられて結束部７となり、結束部７が海上に設けた養殖用筏に係止され、下端も同じく結び付けられて結束部７となり、結束部７が沈子に連結されることにより、海中において連段篭はほぼ鉛直状態を保ちつつ浮遊状態に保持されるようになっている。
【０００４】
しかしながら、海中では、干満による潮汐変化や海底地形に応じた湧昇流の発生、あるいは海面のうねりなどによる潮流に影響を受けるため、連段篭は必ずしも海中で静止状態に保持されるものではなく、潮流方向に傾斜したり、上下に変動したり、あるいは回転力が作用しつづけることになる。
これにより、海中に投入された連段篭のうちには、貝類の育成期間中に姿勢が崩れ、床網の傾きにより貝類が一箇所に偏在することによって成育不良が生じたり、荷重偏在により側網に形成された開口部から貝類が海中に散逸し、歩留り低下の大きな要因となることが観察された。
【０００５】
このような点に鑑み、特許文献１に示される連段篭では、一個の連段篭に使用する複数本の吊下ロープを、左撚り（Ｚ撚り）のロープと右撚り（Ｓ撚り）のロープの、撚り方向の異なるロープを使用することにより、連段篭の海中での姿勢が崩れないように工夫している。
【先行技術文献】
【特許文献】
【０００６】
【特許文献１】実用新案登録第３１６１８７０号公報
【発明の概要】
【発明が解決しようとする課題】
【０００７】
ところが、従来の上記連段篭において、育成室の数が多くなり長くなると、海流に押されて、連段篭全体が傾くことが避けられない。
このため、図３に示すように、二個の連段篭を、その複数個の吊下ロープの上下端を結びつけた結束部７において、連結することにより、上下に連結して用いることが行われている。
しかしながら、二個の連段篭を上下に連結して用いる場合、上部の貝類養殖篭１０１Ａに対し、下部の貝類養殖篭１０１Ｂが大きく傾き、また、回転して、下部の貝類養殖篭１０１Ｂに養殖されてる貝類の成育に悪い影響がでている。
さらに、上下の貝類養殖篭の連結結束部７に、回転力が働くことから、該連結が解けて、下部の貝類養殖篭１０１Ｂが脱落する危険がある。
【０００８】
本発明は、以上の問題点に鑑みてなされたものであって、その目的とするところは、連段式の貝類養殖篭において、海流による影響を避けて、その傾きや回転の影響をなくするようにしたことを目的とする。
【０００９】
また、本発明では、連段式の貝類養殖篭において、海流による影響を避けて、その傾きや回転の影響をなくするようにするとともに、構造が簡単で製作の容易な、安全な構造の連段式の貝類養殖篭を提供することを目的とする。
【課題を解決するための手段】
【００１０】
上記課題を解決するための手段を、図１及び図２の実施の形態を参照して説明する。
本発明に係る連段式の貝類養殖篭１では、リング状に形成された上下複数のフレーム２と、各フレーム２の面内に張設された床網３と、各フレーム２を上下複数段に配設した状態で各フレーム２の外周部を上下方向に連結する複数本の吊下ロープ４と、上下複数段の各フレーム２間の周囲に張設された側網５と、上下の床網３及び側網５によって囲われた内側に形成された上下複数段の育成室６とを備えた連段式の貝類養殖篭１において、
前記連段式の貝類養殖篭１の中間部分の一箇所には、上下に対向する前記フレーム２，２間の周囲に前記側網５が存在しない流通開口路８が形成されていることを特徴としている。前記流通開口路８の上下幅は、前記育成室６の上下幅よりも短く形成されている。
【００１１】
請求項１では、前記流通開口路上部の上部育成室と流通開口路下部の下部育成室とは、それぞれ複数段づつ育成室が上下に連続して形成され、上部育成室周囲の上部側網と下部育成室外周部周囲の下部側網とは上部育成室及び下部育成室を構成する複数の各育成室の周囲を上下に連続して覆い、上部側網及び下部側網の左右の端縁が重合し、該重合端縁間が上下方向に連続する貝類の上部出入口及び下部出入口とされており、前記側網が存在しない前記流通開口路８の周囲には、３本以上の複数本の前記吊下ロープ４が、流通開口路８の周囲方向に略等間隔で設けられ、該複数本の各吊下ロープ４は、その中間部分が対応する上下複数段の各フレーム２に結合された状態で、前記貝類養殖篭１の上下に連続して設けられていることを特徴とする。
【００１２】
上記本発明の連段式の貝類養殖篭１では、その縦方向中間部分の少なくとも一箇所に、側網５が存在しない流通開口路８が形成され、該流通開口路８は貝類養殖篭１の全外周方向に開口されていることから、海流は、左右前後の外周方向どの方向からでも、側網による抵抗なく流通開口路８を通り抜けることになり、海流に押されることによる貝類養殖篭１の傾きや回転が生じない。
【００１３】
また、流通開口路８は、その外周部が、貝類養殖篭１の上端部分から下端部分にかけて連続する複数本（図の実施形態では４本）の吊下ロープ４により上下に連続しているところから、構造的に安全で分離などの恐れがない。
また、仮に、貝類養殖篭１に潮流による回転方向の力が加わったとしても、流通開口路８の下方の貝類養殖篭１の自重により、各吊下ロープ４が下方に引かれて真っ直ぐになり、貝類養殖篭１の流通開口路８部が回転方向にこじれたりすることがない。
【００１４】
本発明に係る連段式の貝類養殖篭１では、通常（既設）の連段篭の、上下方向中間部分の、上下に隣接して対向する吊下ロープ４，４間の側網を省略することにより、簡単に製作できる。通常（既設）の連段篭の中間部の側網を除去させることにより、通常（既設）の連段篭を改良して製作することができる。また、通常（既設）の連段篭の製作時に、流通開口路８の形成部分の上部と下部の各フレーム２の外周に側網５を巻くようにして形成することができる。
【００１５】
前記側網が存在しない流通開口路８は、前記連段式の貝類養殖篭１の中間部分の上下二箇所以上の箇所に形成させることも可能である。
【００１６】
上記の構造では、上下方向に長尺の連段式の貝類養殖篭１を用いた時に、海流からの圧力の方向が貝類養殖篭１の上下で異なるような場合でも、貝類養殖篭１の上下方向の姿勢を、常に垂直方向に安定して保つことができる。
【００１７】
請求項２の発明では、上部出入口及び下部出入口は、それぞれ縫合糸により閉じ合わせ状態に保持され、上部出入口の縫合糸の端部と下部出入口の縫合糸の端部とは、前記流通開口路の上部と下部において、対応する前記フレームに係止されていることを特徴とする。
【００１８】
上記請求項１又は２の構造では、流通開口路８の上下幅は、前記育成室６の上下幅よりも短く形成されているところから、流通開口路８の存在にかかわらず、連段篭である貝類養殖篭１の上下長さを可及的に短くすることができる。育成室６の上下幅を略１５cmから略３０cmとした場合に、流通開口路８の上下幅を略４cm〜略２０cm以下と短くしても、潮流による傾き防止効果が十分にあることを、実験により確認している。
望ましい実施の形態では、育成室６の上下幅を略２０cmとし、流通開口路８の上下幅を略７cmとしている。
請求項２の構造では、複数段の上部育成室の上部出入口と複数段の下部育成室の下部出入口とを、各別に一度に開閉でき、その開閉作業が容易であるのみならず、上部育成室と下部育成室とを、それぞれ用途に応じて有効に使用することができる。
【発明の効果】
【００１９】
本発明の連段式の貝類養殖篭（連段篭）では、その縦方向中間部分の一箇所に、側網が存在しない流通開口路が形成されていることから、海流は、左右前後の外周方向どの方向からでも、側網による抵抗なく流通開口路を通り抜けることになり、海流に押されることによる傾きや回転が生じない。従って、本発明では、この種連段篭の海流の影響による傾きや回転が改善され、養殖される貝類の成育に良い結果をもたらすという優れた改良された効果がある。
【００２０】
また、流通開口路は、その外周部が、貝類養殖篭の上端部分から下端部分にかけて連続する複数本（図の実施形態では４本）の吊下ロープにより上下に連続しているところから、構造的に安全で分離などの恐れがない。
また、仮に、貝類養殖篭に潮流による回転方向の力が加わったとしても、流通開口路下方の下部育成室を構成する複数の各育成室の連続による貝類養殖篭の自重により、各吊下ロープが下方に引かれて真っ直ぐになり、貝類養殖篭の流通開口路部が回転方向にこじれたりすることがない。
【００２１】
さらに、本発明では、通常（既設）の連段篭の、上下方向中間部分の、上下に隣接して対向する吊下ロープ間の側網を省略することにより、簡単に製作でき、その製作が容易である。
本発明では、流通開口路上部の上部育成室の周囲と、流通開口路下部の下部育成室の周囲のフレームに側網を構成する網を巻くようにして、容易に製作できる。
また、既設の連段篭中間の上下フレーム間の側網を除去することにより、既設の連段篭を流通開口路を有する本発明の貝類養殖篭に改良することができる。
【００２２】
請求項２の発明では、複数段の上部育成室の上部出入口と複数段の下部育成室の下部出入口とを、各別に一度に開閉でき、その開閉作業が容易であるのみならず、上部育成室と下部育成室とを、それぞれ用途に応じて有効に使用することができる。
【００２３】
本発明では、流通開口路の上下幅を各育成室の上下幅よりも短く形成しているところから、貝類養殖篭の上下方向の長さを可及的に短くでき、流通開口路部分での回転防止効果や、潮流による傾き防止効果が向上する。
【図面の簡単な説明】
【００２４】
【図１】本発明の貝類養殖篭の全体の正面図である。
【図２】本発明の貝類養殖篭の要部の拡大正面図である。
【図３】（Ａ），（Ｂ）は従来の連段篭の海中での姿勢を説明する全体図である。
【発明を実施するための形態】
【００２５】
以下、本発明を適用した実施の形態例を図を参照して説明する。
図１、図２は、本発明に係る貝類養殖篭の実施の形態を示している。
実施の形態の係る連段篭としての貝類養殖篭１は、リング状に形成された上下複数のフレーム２と、各フレーム２の面内に張設された床網３と、各フレーム２を上下複数段に配設した状態で各フレーム２の外周部を上下方向に連結する複数本の吊下ロープ４と、上下複数段の各フレーム２間の周囲に張設された側網５と、上下の床網３及び側網５によって囲われた内側に形成された上下複数段の育成室６とを備えている。
【００２６】
本発明では、上記連段式の貝類養殖篭１の中間部分の少なくとも一箇所に、上下に対向する上記フレーム２，２間の周囲に上記側網５が存在しない流通開口路８が形成されている。この流通開口路８は、貝類養殖篭１の全外周方向に開口されており、貝類養殖篭１の上下中間部において、全外周方向からの海流の通過を許容する。
【００２７】
上記側網が存在しない上記流通開口路８の周囲には、３本以上（図の実施の形態では４本）の複数本の前記吊下ロープ４が、流通開口路８の周囲方向に略等間隔で設けられ、該複数本の各吊下ロープ４は、その中間部分が対応する上下複数段の各フレーム２に結合された状態で、上記貝類養殖篭１の上下に連続して設けられている。各吊下ロープ４の上下延長端部は、まとめられて上下結束部７，７とされている。
【００２８】
上記各育成室６の外周を構成する上記側網５には、上記流通開口路８の上部と下部において、上下方向に連続して出入口９が形成されている。出入口９は、側網５の左右の端縁が重合された構成である。出入口９は、開閉手段としての、てぐす糸などのプラスチックモノフィラメントによる縫合糸１０により、ジグザグ状に縫合されることによって、閉じ合わせ状態に保持されている。
【００２９】
流通開口路８の上部の各育成室６の出入口９と、流通開口路８の下部の各育成室６の出入口９とは、上下方向に連続している。上部の各育成室６の出入口９の縫合糸１０の下端は流通開口路８の上部のフレーム２に係止され、この上部の縫合糸１０を引き抜き切除することにより、上部の各育成室６の出入口９が一度に開放されるようになっている。また、下部の各育成室６の出入口９の縫合糸１０の上端は流通開口路８の下部のフレーム２に係止され、この下部の縫合糸１０を引き抜き切除することにより、下部の各育成室６の出入口９が一度に開放されるようになっている。
【００３０】
上記各フレーム２は、その内部に中心位置で十字形をなす交差した補強バー１１を備えており、補強バー１１の端部はフレーム２にカシメ付け固定されている。各フレーム２及び内部の補強バー１１は、樹脂被覆ワイヤからなり、貝類養殖篭１を円筒状に保持し、上面に上記床網３が支持されている。
【００３１】
上記連段式の貝類養殖篭１では、各育成室６内に稚貝を収容して、海中に吊り下げて使用するが、その縦方向中間部分に、側網５が存在しない流通開口路８が形成されており、該流通開口路８は貝類養殖篭１の全外周方向に開口されていることから、海流は、左右前後の外周方向どの方向からでも、側網による抵抗なく流通開口路８を通り抜けることになり、貝類養殖篭１が海流に押されることによる傾きや回転が生じない。
従って、貝類が育成室６内の一方に偏って貝類の成育に悪影響を及ぼすということがなく、さらに、貝類が出入口９を押し広げて、海中に散逸するということがない。
【００３２】
また、流通開口路８は、その外周部が、貝類養殖篭１の上端部分から下端部分にかけて連続する複数本（図の実施形態では４本）の吊下ロープ４により上下に連続しているところから、構造的に安全で分離などの恐れがない。
また、仮に、貝類養殖篭１に潮流による回転方向の力が加わったとしても、流通開口路８の下方の貝類養殖篭１の自重により、各吊下ロープ４が均等に下方に引かれて真っ直ぐになり、貝類養殖篭１の流通開口路８部が回転方向にこじれたりすることがない。
【００３３】
本発明は、流通開口路８部の上部と下部に、３個から２５個の育成室を設けた、比較的上下に長い連段篭に適応して有効である。
本発明は、流通開口路８部の上部と下部の育成室を１段以上の多段にした、比較的上下に短い連段篭にも適応できる。
【符号の説明】
【００３４】
１  貝類養殖篭
２  フレーム
３  床網
４  吊下ロープ
５  側網
６  育成室
７  結束部
８  流通開口路
９  出入口
１０  縫合糸
１１  補強バー
１０１Ａ，１０１Ｂ  従来の貝類養殖篭
【図１】
0005877870.tif 000002
【図２】
0005877870.tif 000003
【図３】
0005877870.tif 000004